(57)【要約】      （修正有）【課題】静粛性に優れ、水飛沫の発生を抑制でき、しかも室内などにおいて人工瀑布などとして鑑賞に堪え得る構成の空気清浄機を提供する。【解決手段】水を貯留する貯水槽１と、この貯水槽１の水面レベルから実質的に鉛直上方へ立設した透明仕切板２ｃと、貯水槽１内の水を揚水するポンプ１３を含む水循環部１０と、ポンプ１３により揚水された水を透明仕切板２ｃの上端側からその前面側に沿って面状に流下させて水面へ落し込む水流下器２０とを備え、透明仕切板２ｃの背面側にフィルム写真２１を配して成り、透明仕切板２ｃの前面側に間隙を以て部分的に覆い当該間隙に上からの水を取り込んで通過させる透明カバー板を設けて成る。【選択図】図１
2010284259.tif 000002
【特許請求の範囲】
【請求項１】
水を貯留する貯水槽と、この貯水槽の水面レベルから実質的に鉛直上方へ立設した透明仕切板と、前記貯水槽内の水を揚水するポンプを含む水循環部と、前記ポンプにより揚水された水を前記透明仕切板の上端側からその前面側に沿って面状に流下させて前記水面へ落し込む水流下器とを備え、前記透明仕切板の背面側に画像スクリーンを配して成り、前記透明仕切板の前面側に間隙を以て覆い当該間隙に上からの水を取り込んで通過させる透明カバー板を設けて成ることを特徴とする空気清浄機。
【請求項２】
請求項１に記載の空気清浄機において、前記透明カバー板の上端側を支持する取付手段を備えて成ることを特徴とする空気清浄機。
【請求項３】
請求項１に記載の空気清浄機において、前記取付手段は、前記上端側を保持して前記透明仕切板の前面に吸着した透明製の吸盤であることを特徴とする空気清浄機。
【請求項４】
請求項１に記載の空気清浄機において、前記取付手段は、前記透明仕切板又は外枠部に支持されており、下端側を垂らした前記透明カバー板の上端側を巻き付けて成る透明棒であって、前記透明カバー板の湾曲状の巻き付け側を前記透明仕切板に向けて配して成ることを特徴とする空気清浄機。
【発明の詳細な説明】
【技術分野】
【０００１】
本発明は、空気清浄機に関し、室内空気を人工瀑流水（流下水）による引き込み気流で当該瀑流水に取り込むことにより空気中に浮遊する極細微粒子や有害ガスなどを捕捉溶存させて室内空気を清浄化する空気清浄機に関し、特に、人工瀑布などとして安らぎ趣向のある空気清浄機に関する。
【背景技術】
【０００２】
特開２００５−１８０８７６に開示の空気洗浄装置は、空気清浄用の水を貯留するタンクと、このタンク内の水を揚水するポンプと、清浄される空気を送風するファンと、ポンプにより揚水された水を面状に流下させる水流下器と、この水流下器からの水をタンクに戻す水回収機構とを備え、清浄される空気を水流下器により流下する水に通過させて洗浄するものである。水流下器はメッシュサイズが異なる２枚の網板を重ねたもので、空気通過の障害となる水膜が形成されるのを防止するようになっている。水回収機構は注がれる水が空気取り入れ口からこぼれるのを防止するための受け口としての水返し材を備えている。
【先行技術文献】
【特許文献】
【０００３】
【特許文献１】特開２００５−１８０８７６（図１）
【発明の概要】
【発明が解決しようとする課題】
【０００４】
上記の空気清浄機においては、吸い込み用のファンにより空気取り入れ口から引き込まれる空気が網板を伝わり流れ下る散水状の流水に対して直交する方向に潜り抜けて洗浄されるものであり、また、水飛沫の発生によりマイナスイオンの発生も期待できる。
【０００５】
しかしながら、水音や水飛沫の発生を伴い、騒音・水漏れ対策の上で室内用の空気清浄機としては不向きな構成となっている。更に、装置前面側から見た水流下の様子は水返し材間で露出する網板部分を伝わる状態だけで部分的であるため、人工瀑布として鑑賞することはできない。
【０００６】
上記問題点に鑑み、本発明の課題は、静粛性に優れ、水飛沫の発生を抑制でき、しかも室内などにおいて人工瀑布として鑑賞に堪え得る構成の空気清浄機を提供することにある。
【課題を解決するための手段】
【０００７】
上記課題を解決するため、本発明に係る空気清浄機は、水を貯留する貯水槽と、この貯水槽の水面レベルから実質的に鉛直上方へ立設した透明仕切板と、貯水槽内の水を揚水するポンプを含む水循環部と、ポンプにより揚水された水を透明仕切板の上端側からその前面側に沿って面状に流下させて上記水面へ落し込む水流下器とを備え、透明仕切板の背面側に画像スクリーンを配して成り、透明仕切板の前面側に間隙を以て部分的に覆い当該間隙に上からの水を取り込んで通過させる透明カバー板を設けて成ることを特徴とする。なお、透明仕切板としては平板に限らず湾曲板でも円筒板でも構わない。
【０００８】
透明仕切板の上端側からその前面に水が面状に伝わり落ちると、膜状の水自身に縞や小波が付帯して膜厚のバラツキ（流下揺らぎ）が生じているため、画像スクリーンが例えば滝を写した写真である場合、その滝本流部分では流下揺らぎが重畳するので錯覚により本物の瀑布として動的に視認でき、滝真近に居る臨場感を看取できる。透明仕切板上の水は透明カバー板の上端側から隙間に入り込んで流下するため、表面張力により透明カバー板が透明仕切板寄りに密着するよう引き寄せられ、水が隙間に常に満ちる状態となるので、透明カバー板部分では流下揺らぎを抑制できる。この透明カバー板の領域に滝本流以外の部分がある場合、流下揺らぎが重畳せず、静止像として揺らぎなく自然な印象で視認できる。このため、透明仕切板上で流下揺らぎの有無コントラストを任意に作り出せるため、人工瀑布などとして堪能できる。
【０００９】
ここで、透明カバー板の上端側を支持する取付手段としては、体裁を考えねば、接着剤，ネジ、フックなどの種々の締着部材を用いることができるが、透明仕切板の前面自体を傷付けないためには、取付手段として、透明カバー板の上端側を保持して透明仕切板の前面に吸着した透明製の吸盤とすることができる。
【００１０】
ただ、目を凝らすと透明製の吸盤の存在が離散的に視認できてしまうので、取付手段としては、透明仕切板又は外枠部に支持されており、下端側を垂らした透明カバー板の上端側を巻き付けて成る透明棒であって、透明カバー板の湾曲状の巻き付け側を透明仕切板に向けて配して成る構成が望ましい。流下揺らぎ領域と透明カバー板の非揺らぎ領域との境に透明棒が配向しているため、吸盤のような点在する違和感を少なくできる。また、透明カバー板の湾曲状の巻き付け側が透明仕切板上の水を取り込む受け口となり、透明カバー板の前面側に溢れ難くするので、透明カバー板上での流下揺らぎを一層抑制できる。
【発明の効果】
【００１１】
本発明は、静粛性に優れ、水飛沫の発生を抑制でき、しかも室内などにおいて人工瀑布などとして鑑賞に堪え得る構成の空気清浄機を提供できる。
【図面の簡単な説明】
【００１２】
【図１】本発明に係る空気清浄機の実施例１を示す概略図である。
【図２】同実施例１の斜視図である。
【図３】（Ａ）は実施例２の正面図、（Ｂ）は実施例２の右側面図である。
【図４】本発明に係る空気清浄機の実施例３の斜視図である。
【図５】同実施例３における背景画組立構造を示す組立斜視図である。
【図６】同実施例３において透明カバー板の取付構造の一例を示す側面図である。
【図７】（Ａ）は同実施例３において透明カバー板の別の取付構造を示す斜視図、（Ｂ）はその側面図である。
【図８】本発明に係る空気清浄機の実施例４の斜視図である。
【図９】同実施例４における背景画組立構造を示す組立斜視図である。
【発明を実施するための形態】
【００１３】
次に、本発明の実施例を添付図面に基づいて説明する。
【実施例１】
【００１４】
まず、図１及び図２に示す実施例１の空気清浄機は、室内の床に据え置き可能のスタンドアロン型で、苔，水草や天然石Ｒなどを周壁１ａ側に配して小池又は滝壷状に装飾した貯水槽１と、人工瀑布の落差を確保するために、貯水槽１の後方側の周壁１ａから一体的に鉛直上方へ立設した迫り上げ壁２を有する。迫り上げ壁２は、左右一対の側壁２ａ，２ｂと、これら側壁２ａ，２ｂ間において貯水槽１の水面レベルから実質的に鉛直上方へ立設したガラス製又はアクリル製などの透明仕切板（前板）２ｃを有する。また、本例の空気清浄機は、水槽内の水Ｗを揚水するポンプ１３を含む水循環部１０と、ポンプ３により揚水された水Ｗを透明仕切板２ｃの上部からその前面側に沿って面状（膜状）に流下（瀑流）させて貯水槽１の水面へ落し込む水流下器２０を有する。
【００１５】
水循環部１０は、貯水槽１内の水Ｗを吸い込み水流下器２０へ水Ｗを吐き出す配管経路に沿って、吸込み側バルブ１１，ろ過器１２，ポンプ１３，消臭剤収納器１４，除菌減菌装置１５，ラドン発生鉱物収納器１６及び吐き出し側バルブ１７を順次設けてある。吐き出し側バルブ１７からの水Ｗは側壁２ｂの内側に添って立設する立ち上げ管１８を介して上部の水流下器２０に導かれている。
【００１６】
水流下器２０は側壁２ａ，２ｂの上部間に横架した散水管であって、その散水管に沿って離散的に設けた多数の散水孔から噴出する水Ｗが人工の滝口として透明仕切板２ｃの前面上部に当り、透明仕切板２ｃの前面を伝って幕状に流れ下り、滝壷の水面に静かに流れ込むようになっている。透明仕切板２ｃの背面側には背景パネルとしてフィルム写真２１が重ね合わせ状態で配しており、このフィルム写真２１は透明押え板２２で挟まれている。また、透明押え板２２の後方位置にはバックライドＬが設けられ、フィルム写真２１に対し全体的に背後照明できるようになっている。
【００１７】
透明仕切板２ｃの上部からその前面側に沿って流下する幕状の瀑流水はこれに接する引き込み気流（下向きの対流）を定常的且つ面的旺盛に発生させているため、室内空気を瀑流水に恒常的に曝す作用を発揮し、空気中の花粉，塵埃，ウイルスなどの極細微粒子や有害ガス，臭い分子を瀑流水に取り込んで水槽１内に静粛に落とし込むことができる。また、瀑流水は透明仕切板２ｃを伝わって流下するため、その速度は自由落下速度より遅く、水面での水跳ねを抑え、不如意な水飛沫の発生を抑制できる。更に、本例では、ラドン発生鉱物収納器１６を通過してラドンを含んだ水Ｗが幕状の瀑流となるため、曝気面積の増大により、マイナスイオンの放散が激増する分、マイナスイオンを室内空間に安定的に供給できる。
【００１８】
水循環部１０においては貯水槽１内で回収した水Ｗをろ過器１２，消臭剤収納器１４及び殺菌減菌装置１５を通過させてあるため、瀑流水が取り込んだ微粒子・有害ガス・雑菌などを除去できる。
【００１９】
加えて、透明仕切板２ｃの背面側にフィルム写真２１が配されているため、フィルム写真２１を滝などの静止画とした場合、透明仕切板２ｃの前面の瀑流に滝の静止画が重なるため、恰も人工瀑布として鑑賞でき、鑑賞者は滝壺の周りにいる感覚を疑似体験することができるので、精神的安らぎも得られる。なお、フィルム写真２１が動画スクリーンとしても良い。
【実施例２】
【００２０】
図３（Ａ）は空気清浄機の実施例２を示す正面図、図３（Ｂ）は実施例２の右側面図である。なお、図３（Ａ）（Ｂ）において図１，図２に示す部分と同一部分には同一参照符号を付し、その説明は省略する。
【００２１】
実施例１の水循環部１０では配管に吸込み側バルブ１１，ろ過器１２，ポンプ１３，消臭剤収納器１４，除菌減菌装置１５，ラドン発生鉱物収納器１６及び吐き出し側バルブ１７が順次設けられているため、大掛かりな水循環部１０となる分、貯水槽１内に収納し難くなっている。ところが、実施例２の空気清浄機においては、貯水槽１内に水没した水中ラドン発生鉱物収納器１６′，水中ろ過器１２′及び水中ポンプ１３′で水循環部１０′が構成されている。このため、本例の空気清浄機は貯水槽１と迫り上げ壁２の一体化だけで構成でき、フロアー占有面積の削減化に寄与する。この空気清浄機においては、水中ラドン発生鉱物収納器１６′でラドンが水Ｗに溶存し、この水Ｗが水中ろ過器１２′を介して水中ポンプ１３′に吸い込まれた後、立ち上げ管１８を介して瀑流器２０に送り込まれ、瀑流となって貯水槽１に戻る。このため、実施例１と同様に、マイナスイオンを室内空間に安定的に充満させることができる。
【００２２】
なお、貯水槽１内の水Ｗとしては、温泉ガスのラドンだけでなく、他の温泉（鉱泉）成分、自然界に有する成分などが含まれるものを利用できる。例えば、オゾン発生器を用いてオゾンを水Ｗに溶存させることにより、瀑流水から酸素を発生させるようにしても良い。また、水Ｗを温水とすることにより瀑流から水蒸気が旺盛に発生するため、本例の空気清浄機は加湿器としての機能も持ち得る。
【実施例３】
【００２３】
図４は本発明に係る空気清浄機の実施例３の斜視図、図５は同実施例３に係る背景画組立構造を示す組立斜視図である。
【００２４】
本例の空気清浄機の構成は背景画組立構造を除いて図３の実施例２と同様となっている。この背景画組立構造は、図５に示す如く、前面に水が瀑流として伝わる透明仕切板２ｃの背面側に滝Ｆを写したフィルム写真２１を透明押え板２２で挟み込んで成り、その後方には光拡散板２３を介して光源板２４を配してあるが、透明仕切板２ｃの前面のうち所定位置、例えば、右上コーナー部は樹脂製可撓性で三角形の第１透明カバー板２５ａで覆われていると共に、下端側は樹脂製可撓性で長方形の第２透明カバー板２５ｂで覆われている。第１透明カバー板２５ａの上辺側は隙間を以て透明仕切板２ｃに離散的に固定されており、その余はフリーとなった吊り下げ構造となっている。また、第２透明カバー板２５ｂの上辺側も隙間を以て透明仕切板２ｃに離散的に固定されており、その余はフリーとなった形吊り下げ構造となっている。この第１透明カバー板２５ａが覆う範囲はフィルム写真２１中の滝口２１ａを挟む崖部２１ｂに対応し、第２透明カバー板２５ｂが覆う範囲は滝壺２１ｃを区画する静水辺縁部２１ｄに対応している。
【００２５】
このような透明カバー板２５ａ，２５ｂで部分的に覆われた透明仕切板２ｃの上端辺からその前面に水が伝わり落ちると、滝本流部分Ｆの上を流れる膜状の水自身に膜厚のバラツキ（流下揺らぎ）があるため、滝本流部分Ｆでは本物の瀑布のような流下揺らぎを生じ、錯覚により臨場感を得ることができる。逆に、崖部２１ｂや静水辺縁部２１ｄの上を流れる膜状の水は第１透明カバー板２５ａの上辺隙間や第２透明カバー板２５ｂの上辺隙間から入り込んで流下し、表面張力により第１透明カバー板２５ａ及び第２透明カバー板２５ｂが透明仕切板２ｃ寄りに密着させるよう引き寄せられ、隙間が狭くなり、水が隙間に常に満ちる状態とするため、崖部２１ｂや静水辺縁部２１ｄの上では流下揺らぎが発生せず、崖部２１ｂや静水辺縁部２１ｄのままの静止像として自然な印象で視認でき、流下揺らぎの有無コントラストにより人工瀑布として堪能できる。
【００２６】
図６は透明カバー板２５ａ，２５ｂの取付構造の一例を示す側面図である。透明カバー体２５ａ，２５ｂの上端側を頭部で保持する透明製の吸盤３０は透明仕切板２ｃの前面に吸着している。透明仕切板２ｃの前面を流下する水Ｗは透明カバー体２５ａ，２５ｂの上端側を拡開状態にして透明仕切板２ｃと透明カバー体２５ａ，２５ｂとの隙間を満たして流下する。透明製の吸盤３０は透明カバー体２５ａ，２５ｂを吊り下げ支持するに十分な個数を設ける。
【００２７】
図７（Ａ）は透明カバー板２１ｂ，２１ｃの別の取付構造を示す斜視図、図７（Ｂ）はその側面図である。この取付構造では、樹脂製などの細い透明棒４０が用いられており、この透明棒４０の両端は透明仕切板２ｃ又は後述する外枠フレームに支持されている。透明棒４０には下端側を垂らした透明カバー板２５ａ，２５ｂの上端側が１巻き以内で巻き付けられており、その湾曲状の巻き付け側が透明仕切板２ｃに向けて配している。流下揺らぎ領域と透明カバー板２５ａ，２５ｂの非揺らぎ領域との境に透明棒４０が配置されているため、違和感を少なくできる。また、透明カバー板２５ａ，２５ｂの湾曲状の巻き付け側が透明仕切板２ｃ上の水を取り込む受け口となり、透明カバー板２５ａ，２５ｂの前面側に流れ難くするので、揺らぎを一層抑制できる。
【実施例４】
【００２８】
図８は本発明に係る空気清浄機の実施例４の斜視図、図９は同実施例４における背景画組立構造を示す組立斜視図である。なお、図９において図４に示す部分と同一部分には同一参照符号を付し、その説明は省略する。
【００２９】
本例の空気清浄機においては、透明仕切板２ｃの前面に外枠フレーム５０を重ねるようになっている。この外枠フレーム５０の両縦枠には複数の段違い孔ｈが形成されており、前述のように透明カバー板２５ａ，２５ｂを吊り下げた透明棒４０の両端を差し込んで位置替えできるようになっている。フィルム写真２１の態様に応じて、透明カバー板２５ａ，２５ｂの位置替えを手軽にでき、非揺らぎ領域の設定が容易となる。
【符号の説明】
【００３０】
１ａ…周壁
１…貯水槽
２…迫り上げ壁
２ａ，２ｂ…側壁
２ｃ…透明仕切板
１０，１０′…水循環部
１１…吸込み側バルブ
１２…ろ過器
１２′…水中ろ過器
１３…ポンプ
１３′…水中ポンプ
１４…消臭剤収納器
１５…除菌減菌装置
１６…ラドン発生鉱物収納器
１６′…水中ラドン発生鉱物収納器
１７…吐き出し側バルブ
１８…立ち上げ管
２０…水流下器
２１…フィルム写真
２１ａ…滝口
２１ｂ…崖部
２１ｃ…滝壺
２１ｄ…静水辺縁部
２２…透明押え板
２３…光拡散板
２４…光源板
２５ａ…第１透明カバー板
２５ｂ…第２透明カバー板
３０…透明製の吸盤
４０…透明棒
５０…外枠フレーム
Ｆ…滝本流部分
ｈ…段違い孔
Ｌ…バックライト
Ｒ…天然石
Ｗ…水
【図１】
2010284259.tif 000003
【図２】
2010284259.tif 000004
【図３】
2010284259.tif 000005
【図４】
2010284259.tif 000006
【図５】
2010284259.tif 000007
【図６】
2010284259.tif 000008
【図７】
2010284259.tif 000009
【図８】
2010284259.tif 000010
【図９】
2010284259.tif 000011